【事件の表示】
　特願２０１５−　３０７４９「遊技機」拒絶査定不服審判事件〔平成２８年　８月２２日出願公開、特開２０１６−１５０２０４〕について、次のとおり審決する。
【結　論】
　本件審判の請求は、成り立たない。
【理　由】
第１　手続の経緯
　本願は、平成２７年２月１９日の出願であって、平成２７年１２月１４日付けで拒絶の理由が通知され、平成２８年２月１５日に意見書及び手続補正書が提出され、さらに、平成２８年８月１８日付けで拒絶の理由が通知され、平成２８年１０月１９日に意見書及び手続補正書が提出されたところ、平成２８年１１月７日付けで補正の却下の決定がなされるとともに同日付で拒絶査定がなされ、それに対して、平成２９年２月１３日に拒絶査定不服審判の請求がされると同時に明細書及び特許請求の範囲に係る手続補正がなされたものである。
第２　平成２９年２月１３日付けの手続補正についての補正却下の決定
［補正却下の決定の結論］
　平成２９年２月１３日付けの手続補正（以下「本件補正」という。）を却下する。
［理由］
１　本件補正の内容
　本件補正は、特許請求の範囲を補正する内容を含んでおり、本件補正により、特許請求の範囲の請求項１は、
「【請求項１】
　始動条件の成立に基づいて、特別遊技を行うか否かの判定を行う判定手段と、
　演出を制御する演出制御手段とを備え、
　前記演出制御手段は、
　　前記判定手段による判定結果に基づいて、複数の段階にわたって行われる演出であって、段階数が多いほど特別遊技が行われる期待度が高いことを示す多段階演出を実行可能であり、
　　前記多段階演出において所定段階目の演出が行われることを示唆する演出を、当該所定段階目の演出が開始される前に実行可能であり、
　　前記多段階演出における第Ｎ（Ｎは正の整数）段階目の演出が行われる際に、当該Ｎ段階目の演出が行われることを示唆する特定示唆演出を実行し、当該特定示唆演出を実行した後に第Ｎ段階目の演出を実行可能であり、
　　前記多段階演出における第Ｍ（ＭはＮより小さい整数）段階目の演出が行われる際に、前記特定示唆演出を実行して当該第Ｍ段階目の演出を実行するときと、前記特定示唆演出を実行せずに当該第Ｍ段階目の演出を実行するときとがあり、
　前記演出制御手段は、前記第Ｍ段階目の演出が行われる際に前記特定示唆演出を実行した場合は、当該第Ｍ段階目の演出を実行した後にさらに前記第Ｎ段階目の演出を実行可能である、遊技機。」
から、
「【請求項１】
　始動条件の成立に基づいて、特別遊技を行うか否かの判定を行う判定手段と、
　演出を制御する演出制御手段とを備え、
　前記演出制御手段は、
　　前記判定手段による判定結果に基づいて、複数の段階にわたって行われる演出であって、段階数が多いほど特別遊技が行われる期待度が高いことを示す多段階演出を実行可能であり、
　　前記多段階演出において所定段階目の演出が行われることを示唆する演出を、当該所定段階目の演出が開始される前に実行可能であり、
　　前記多段階演出における第
Ｍ
前記第Ｍ段階より後の段階である第Ｎ段階目の演出が行われることを示唆する
　　前記第Ｍ段階目の演出が行われる際に前記特定示唆演出を実行した場合は、当該第Ｍ段階目の演出を実行した後にさらに前記第Ｎ段階目の演出を実行可能であり、
　　前記多段階演出における前記第Ｎ段階目の演出が行われる際に、前記特定示唆演出を実行し、当該特定示唆演出を実行した後に第Ｎ段階目の演出を実行可能であり、
　　
前記多段階演出における各段階の演出が行われている間、当該多段階演出が実行されていることを示す特定表示を行うことが可能であり、
　　
前記多段階演出における各段階の演出において異なる前記特定表示を行うことが可能であり、
　　
特別遊技が行われる可能性が異なる複数の表示態様のうちの何れかの表示態様で前記特定表示を行うことが可能であり、
　　
前記多段階演出における所定の段階の演出の実行中に、前記特定表示を第１の表示態様から前記第１の表示態様よりも特別遊技が行われる可能性が高いことを示す第２の表示態様に変化させることが可能である
に補正された（下線は、補正箇所を明示するために当審で付した。）。
２　補正の適否について
（１）本件補正
　本件補正は、特許請求の範囲について、以下に挙げる補正事項を含むものである。
ア　補正前の請求項１に記載した発明を特定するために必要な事項である「演出制御手段」に関して、「前記多段階演出における第Ｎ（Ｎは正の整数）段階目の演出が行われる際に、当該Ｎ段階目の演出が行われることを示唆する特定示唆演出を実行し、当該特定示唆演出を実行した後に第Ｎ段階目の演出を実行可能であり、」という記載を、「前記多段階演出における
前記
前記
イ　補正前の請求項１に記載した発明を特定するために必要な事項である「演出制御手段」に関して、「前記多段階演出における第Ｍ（ＭはＮより小さい整数）段階目の演出が行われる際に、前記特定示唆演出を実行して当該第Ｍ段階目の演出を実行するときと、前記特定示唆演出を実行せずに当該第Ｍ段階目の演出を実行するときとがあり、」という記載を、「前記多段階演出における第
Ｍ
前記第Ｍ段階より後の段階である第Ｎ段階目の演出が行われることを示唆する
ウ　補正前の請求項１に記載した発明を特定するために必要な事項である「演出制御手段」に関して、「前記演出制御手段は、前記第Ｍ段階目の演出が行われる際に前記特定示唆演出を実行した場合は、当該第Ｍ段階目の演出を実行した後にさらに前記第Ｎ段階目の演出を実行可能である、遊技機。」という記載を、「前記第Ｍ段階目の演出が行われる際に前記特定示唆演出を実行した場合は、当該第Ｍ段階目の演出を実行した後にさらに前記第Ｎ段階目の演出を実行可能であ
り、
前記多段階演出における各段階の演出が行われている間、当該多段階演出が実行されていることを示す特定表示を行うことが可能であり、前記多段階演出における各段階の演出において異なる前記特定表示を行うことが可能であり、特別遊技が行われる可能性が異なる複数の表示態様のうちの何れかの表示態様で前記特定表示を行うことが可能であり、前記多段階演出における所定の段階の演出の実行中に、前記特定表示を第１の表示態様から前記第１の表示態様よりも特別遊技が行われる可能性が高いことを示す第２の表示態様に変化させることが可能である、
（２）補正の目的について
　本件補正アは、補正前後において請求項内での記載位置の前後を変えたことに伴い、補正前には「第Ｎ（Ｎは正の整数）段階目の演出」及び「特定示唆演出」と記載していたところ、それぞれ「前記」を付したものであり、また、「第Ｎ段階目の演出」について「（Ｎは正の整数）」との説明を削除するものである。
　本件補正イは、補正前には「第Ｍ（ＭはＮより小さい整数）段階目の演出」としていたところ、「（ＭはＮより小さい整数）」との説明を削除した上で、「特定示唆演出」について、「前記第Ｍ段階より後の段階である第Ｎ段階目の演出が行われることを示唆する」として限定するものである。
　本件補正ウは、補正前の「演出制御手段」について、「前記多段階演出における各段階の演出が行われている間、当該多段階演出が実行されていることを示す特定表示を行うことが可能であり、前記多段階演出における各段階の演出において異なる前記特定表示を行うことが可能であり、特別遊技が行われる可能性が異なる複数の表示態様のうちの何れかの表示態様で前記特定表示を行うことが可能であり、前記多段階演出における所定の段階の演出の実行中に、前記特定表示を第１の表示態様から前記第１の表示態様よりも特別遊技が行われる可能性が高いことを示す第２の表示態様に変化させることが可能である、」と限定するものである。
　そして、上記本件補正ア〜ウは、補正前の請求項に記載された発明と補正後の請求項に記載された発明の産業上の利用分野及び解決しようとする課題が同一であるので、特許法第１７条の２第５項第２号の特許請求の範囲の限縮を目的とするものである。
（３）新規事項の有無について
　補正事項の内容に鑑み、まず補正事項ウについて検討する。
　補正事項ウは、「演出制御手段」に関し、特に、「
前記多段階演出における所定の段階の演出の実行中に、前記特定表示を第１の表示態様から前記第１の表示態様よりも特別遊技が行われる可能性が高いことを示す第２の表示態様に変化させることが可能である
　一方、本件出願の願書に最初に添付された明細書及び図面（以下「当初明細書等」という。）における段落【０１５０】には、「なお、装飾図柄５１を擬似的に変動させる疑似変動演出が行われている間に、当該疑似変動演出が行われていることを示す特定の表示を行い、当該特定の表示の表示態様を、上記特殊ゾーン演出と同様に、期待度に応じて第１の態様〜第３の態様に変化させてもよい。例えば、疑似変動演出が行われている間に、Ｎ回目の疑似変動演出中であることを示す「疑似Ｎ回目」という画像を表示させる場合に、「疑似Ｎ回目」という画像を期待度に応じて「青」、「緑」、「赤」のように変化させてもよい。」との記載があり、この記載は、特定の表示の表示態様を「疑似変動演出が行われている間に」変化させるものであるから、「前記多段階演出における
所定の段階の演出の実行中に、
　同段落【０１３９】には、「上記では、遊技者による演出ボタン２６の押下に応じてゾーン表示画像６７の表示態様が変化することとしたが、・・・特殊ゾーン演出が１回の特別図柄の変動において行われる場合において、段階的に期待度が高くなる疑似変動演出が行われ、疑似変動演出が行われる毎に（装飾図柄が疑似変動する毎に）ゾーン表示画像６７の表示態様が変化してもよい。・・・」との記載があり、「特殊ゾーン演出が１回の特別図柄の変動において行われる場合」には、「疑似変動演出が行われる毎に（装飾図柄が疑似変動する毎に）ゾーン表示画像６７の表示態様」を、変化させるものであるとしている。
　また、当初明細書等全体を参酌しても、当該箇所以外に、疑似変動演出中の画像の表示態様の変化について記載がなされている箇所は見当たらない。
　よって、当初明細書等における段落【０１５０】に記載された「特定の表示の表示態様を、上記特殊ゾーン演出と同様に、期待度に応じて第１の態様〜第３の態様に変化させてもよ」いタイミングは、当初明細書等における段落【０１３９】に記載されるとおり、「疑似変動演出が行われる毎に（装飾図柄が疑似変動する毎に）」であることは明らかである。
　したがって、当初明細書等には、「前記多段階演出における
所定の段階の演出の実行中に、
　そして、補正事項ウは、「前記多段階演出における
所定の段階の演出の実行中に、
　したがって、補正事項ウは、当初明細書等に記載された事項の範囲内においてしたものではない。
　以上のことから、本件補正は、上記補正事項ア、イについて検討するまでもなく、当初明細書等に記載された事項の範囲内においてしたものではない。
　よって、本件補正は、特許法第１７条の２第３項の規定に違反するので、同法第１５９条第１項において読み替えて準用する同法第５３条第１項の規定により却下すべきものである。
３　独立特許要件について
　本件補正については、上記２で述べたとおりであるが、上記補正が、仮に、当初明細書等の範囲内においてしたものとした場合に、本件補正後の請求項１に記載された発明（以下、「本件補正発明」という。）が特許出願の際独立して特許を受けることができるものであるか（特許法第１７の２第６項において準用する同法第１２６条第７項の規定に適合するか）についても、以下において検討する。
（１）本件補正発明
　本件補正発明は、上記１の本件補正の内容において示した次のとおりのものである（Ａ〜Ｋは、本件補正発明を分説するため審決で付した。）。
「【請求項１】
Ａ　始動条件の成立に基づいて、特別遊技を行うか否かの判定を行う判定手段と、
Ｂ　演出を制御する演出制御手段とを備え、
Ｃ　前記演出制御手段は、
　　前記判定手段による判定結果に基づいて、複数の段階にわたって行われる演出であって、段階数が多いほど特別遊技が行われる期待度が高いことを示す多段階演出を実行可能であり、
Ｄ　　前記多段階演出において所定段階目の演出が行われることを示唆する演出を、当該所定段階目の演出が開始される前に実行可能であり、
Ｅ　　前記多段階演出における第Ｍ段階目の演出が行われる際に、前記第Ｍ段階より後の段階である第Ｎ段階目の演出が行われることを示唆する特定示唆演出を実行して当該第Ｍ段階目の演出を実行するときと、前記特定示唆演出を実行せずに当該第Ｍ段階目の演出を実行するときとがあり、
Ｆ　　前記第Ｍ段階目の演出が行われる際に前記特定示唆演出を実行した場合は、当該第Ｍ段階目の演出を実行した後にさらに前記第Ｎ段階目の演出を実行可能であり、
Ｇ　　前記多段階演出における前記第Ｎ段階目の演出が行われる際に、前記特定示唆演出を実行し、当該特定示唆演出を実行した後に第Ｎ段階目の演出を実行可能であり、
Ｈ　　前記多段階演出における各段階の演出が行われている間、当該多段階演出が実行されていることを示す特定表示を行うことが可能であり、
Ｉ　　前記多段階演出における各段階の演出において異なる前記特定表示を行うことが可能であり、
Ｊ　　特別遊技が行われる可能性が異なる複数の表示態様のうちの何れかの表示態様で前記特定表示を行うことが可能であり、
Ｋ　　前記多段階演出における所定の段階の演出の実行中に、前記特定表示を第１の表示態様から前記第１の表示態様よりも特別遊技が行われる可能性が高いことを示す第２の表示態様に変化させることが可能である、遊技機。」
（２）刊行物１に記載された発明
　原査定の拒絶の理由に引用文献として引用された特開２０１２−２３９６１８号公報（以下、「刊行物１」という。）には、図面とともに以下の事項が記載されている（下線は審決で付した。以下同じ。）
（１−ａ）「【０００４】
　パチンコ遊技機では、始動入賞口に遊技球が入賞したことにもとづいて可変表示手段において開始される識別情報の可変表示の表示結果として、あらかじめ定められた特定表示結果が導出表示された場合に、「大当り」が発生する。なお、導出表示とは、図柄を停止表示させることである（いわゆる再変動の前の停止を除く。）。大当りが発生すると、例えば、大入賞口が所定回数開放して打球が入賞しやすい大当り遊技状態に移行する。そして、各開放期間において、所定個（例えば１０個）の大入賞口への入賞があると大入賞口は閉成する。そして、大入賞口の開放回数は、所定回数（例えば１５ラウンド）に固定されている。なお、各開放について開放時間（例えば２９秒）が決められ、入賞数が所定個に達しなくても開放時間が経過すると大入賞口は閉成する。以下、各々の大入賞口の開放期間をラウンドということがある。」
（１−ｂ）「【発明が解決しようとする課題】
【０００７】
　しかし、特許文献１に記載された遊技機では、変動開始後、１回目の変動サイクルから直ちに擬似連に対応した演出（キャラクタを用いた演出）を開始して擬似連を実行しているので、変動開始時に直ぐに擬似連となることが認識できてしまう。一方で、変動開始時に擬似連に対応した演出が現れなかった場合には擬似連とならないことも直ちに認識できてしまい、遊技者の今回の可変表示に対する期待感を著しく低減させてしまうおそれがある。
【０００８】
　そこで、本発明は、再可変表示を実行可能に構成した遊技機において、可変表示が開始された後も再可変表示が発生することに対する期待感を維持して、遊技に対する興趣を向上させることができる遊技機を提供することを目的とする。」
【課題を解決するための手段】
【０００９】
（手段１）本発明による遊技機は、・・・特定遊技状態とするか否かを可変表示手段に表示結果が導出表示される前に決定する
事前決定手段（例えば、遊技制御用マイクロコンピュータ５６０におけるステップＳ６１を実行する部分）と、事前決定手段の決定結果にもとづいて、
識別情報の可変表示を実行する可変表示制御手段（例えば、演出制御用マイクロコンピュータ１００におけるステップＳ８００４〜Ｓ８００８，Ｓ８１０１〜Ｓ８１２５，Ｓ８７２を実行する部分）とを備え、
（１−ｃ）「【００６８】
　演出制御基板８０は、演出制御用ＣＰＵ１０１、および演出図柄プロセスフラグ等の演出に関する情報を記憶するＲＡＭを含む演出制御用マイクロコンピュータ１００を搭載している。・・・また、
演出制御用ＣＰＵ１０１は、演出制御コマンドにもとづいて、ＶＤＰ（ビデオディスプレイプロセッサ）１０９に演出表示装置９の表示制御を行わせる。
（１−ｄ）「【００７７】
　次に、遊技機の動作について説明する。図４は、主基板３１における遊技制御用マイクロコンピュータ５６０が実行するメイン処理を示すフローチャートである。遊技機に対して電源が投入され電力供給が開始されると、リセット信号が入力されるリセット端子の入力レベルがハイレベルになり、
遊技制御用マイクロコンピュータ５６０（具体的には、ＣＰＵ５６）
（１−ｅ）「【０１１４】
　なお、
「擬似連」とは、識別情報の可変表示（演出図柄の変動表示）が開始されてから表示結果が導出表示されるまでに（１回の変動表示中に）、一旦非特定表示結果（はずれ図柄）となる特殊表示結果（チャンス目図柄）を仮停止表示させた後に変動表示を再度実行する再可変表示（再変動）を１回または複数回実行する演出である。
（１−ｆ）「【０１６０】
　なお、この実施の形態では、図１１（Ａ）に示すように、大当りとなる場合には、再変動２回の擬似連が実行されるノーマルＰＢ２−４やスーパーＰＡ３−４の変動パターンは、再変動１回の擬似連が実行されるノーマルＰＢ２−３やスーパーＰＡ３−３の変動パターンと比較して、判定値の割り振りが多い。一方で、図１２に示すように、はずれとなる場合には、再変動２回の擬似連が実行されるノーマルＰＢ２−２やスーパーＰＡ３−２の変動パターンは、再変動１回の擬似連が実行されるノーマルＰＢ２−１やスーパーＰＡ３−１の変動パターンと比較して、判定値の割り振りが少ない。さらに、この実施の形態では、図１１（Ａ）に示すように、大当りとなる場合にのみ、再変動３回の擬似連が実行されるスーパーＰＡ３−５の変動パターンが割り振られている。従って、
この実施の形態では、擬似連が実行される場合に、再変動の回数が多くなるに従って、大当りに対する期待度（信頼度）が高くなる。
（１−ｇ）「【０１７６】
　
演出制御基板８０に搭載されている演出制御用マイクロコンピュータ１００（具体的には、演出制御用ＣＰＵ１０１）
（１−ｈ）「【０１８１】
　・・・特別図柄プロセス処理において、
ＣＰＵ５６は、第１始動入賞口１３に遊技球が入賞したことを検出するための第１始動口スイッチ１３ａがオンしていたら、すなわち第１始動入賞口１３への始動入賞が発生していたら、
始動口スイッチ通過処理を実行する
・・・
【０１９５】
　・・・
次いで、ＣＰＵ５６は、乱数回路５０３やソフトウェア乱数を生成するためのカウンタから値を抽出し、それらを、第１保留記憶バッファ（図１７参照）における保存領域に格納する処理を実行する（ステップＳ２１５）。
ステップＳ２１５の処理では、ハードウェア乱数であるランダムＲ（大当り判定用乱数）
が抽出され、保存領域に格納される。
・・・
【０２１３】
　
次いで、ＣＰＵ５６は、乱数バッファ領域からランダムＲ（大当り判定用乱数）を読み出し、大当り判定モジュールを実行する。
ＣＰＵ５６は、
第１保留記憶バッファ
にあらかじめ格納した大当り判定用乱数を読み出し、大当り判定を行う。
【０２１４】
　・・・
ＣＰＵ５６は、大当り判定用乱数（ランダムＲ）の値が図８（Ａ）に示すいずれかの大当り判定値に一致すると、特別図柄に関して大当りとすることに決定する。
大当りとするか否か決定するということは、大当り遊技状態に移行させるか否か決定するということである
（１−ｉ）「【０３２４】
　次いで、
演出制御用ＣＰＵ１０１は、
切替用背景画面を決定する（ステップＳ１５０４）。
【０３２５】
　なお、この実施の形態では、
擬似連を実行する場合に切替用背景画面に切り替えられた場合には、再変動ごとに一連のストーリーが発展していくような態様で背景画面の表示が行われる
表示される表示内容が遊技者にとって何らかの連続性を認識できる態様で変化していくことである。例えば、山の風景の背景画面に切り替えられた場合、１回目の再変動では山の風景に朝日が昇るような態様の背景画面が表示され、２回目の再変動では山の風景における正午ごろの態様の背景画面に発展し、さらに３回目の再変動では山の風景における夜間の態様の背景画面に発展する。
【０３２６】
　次いで、演出制御用ＣＰＵ１０１は、ステップＳ１５０３で決定した特殊表示結果（チャンス目図柄）に含まれるチャンス図柄が最終仮停止図柄となっているか否かを確認する（ステップＳ１５０５）。この実施の形態では、
擬似連が実行される場合に、特殊表示結果（チャンス目図柄）が仮停止表示される場合、まず左の変動表示領域の図柄が仮停止され、次に右の変動表示領域の図柄が仮停止され、最後に中の変動表示領域の図柄が仮停止される。従って、この実施の形態では、中の変動表示領域に仮停止される図柄が最終仮停止図柄である。
【０３２７】
　チャンス図柄が最終仮停止図柄でなければ（すなわち、特殊表示結果（チャンス目図柄として、左「山」、右「山」、左「海」または右「海」のいずれかを決定した場合であれば）、
演出制御用ＣＰＵ１０１は、変動表示中に行われる再変動回数に応じて、残仮停止図柄の表示態様を決定する（ステップＳ１５０６）。「残仮停止図柄」とは、特殊表示結果（チャンス目図柄）が仮停止表示される場合に、チャンス図柄が仮停止した後に仮停止される
【０３２８】
　図３９は、残仮停止図柄の表示態様を決定するための残仮停止図柄表示態様決定用テーブルの具体例を示す説明図である。このうち、図３９（Ａ）は、再変動回数が３回である場合に選択される残仮停止図柄表示態様決定用テーブルの具体例である。また、図３９（Ｂ）は、再変動回数が２回である場合に選択される残仮停止図柄表示態様決定用テーブルの具体例である。また、図３９（Ｃ）は、再変動回数が１回である場合に選択される残仮停止図柄表示態様決定用テーブルの具体例である。
【０３２９】
　
図３９に示すように、この実施の形態では、残仮停止図柄の表示態様として、赤色表示、黄色表示または変化なしのいずれかが決定される。
【０３３０】
　
図３９に示すように、この実施の形態では、再変動回数が多くなるに従って、通常の表示態様とは異なる表示態様（赤色表示または黄色表示）で残仮停止図柄が仮停止される割合が高まる。また、図３９に示すように、この実施の形態では、再変動回数が多くなるに従って、特に赤色表示の表示態様で残仮停止図柄が仮停止される割合が高まる。既に説明したように、この実施の形態では、擬似連が実行される場合に再変動回数が多くなるに従って大当りに対する期待度（信頼度）が高まるので、通常の表示態様とは異なる表示態様（赤色表示または黄色表示）で残仮停止図柄が仮停止された場合には、通常の表示態様と同様の表示態様（青色表示）で残仮停止図柄が仮停止された場合と比較して、大当りに対する期待度（信頼度）が高い。また、赤色表示の表示態様で残仮停止図柄が仮停止された場合には、黄色表示の表示態様で残仮停止図柄が仮停止された場合と比較して、大当りに対する期待度（信頼度）がさらに高い。
（１−ｊ）「【０３４９】
　一方、ステップＳ１５０３で決定した特殊表示結果（チャンス目図柄）に含まれるチャンス図柄が最終仮停止図柄でなかった場合（すなわち、左「山」、右「山」、左「海」または右「海」の特殊表示結果（チャンス目図柄）を決定した場合）には、ステップＳ８１０８では、
演出制御用ＣＰＵ１０１は、ステップＳ１５０６の処理で決定した表示態様で特殊表示結果（チャンス目図柄）を仮停止表示する。
（１−ｋ）「【０３６０】
　また、ステップＳ８１１２では、正確には、
演出制御用ＣＰＵ１０１は、１回目〜３回目の再変動タイミングごとに、切替用背景画面の切り替えを行う。
山の風景の背景画面への切り替えを行う場合、初回変動後、１回目の再変動を開始する場合には、山の風景に朝日が昇るような態様の背景画面に変更し、２回目の再変動を開始する場合には、山の風景における正午ごろの態様の背景画面に変更し、３回目の再変動を開始する場合には、山の風景における夜間の態様の背景画面に変更する。
（１−ｌ）「【０４０５】
　次に、
図４６および図４７を用いて、再変動回数３回の擬似連を実行する場合であって、「山」のチャンス図柄を含む特殊表示結果（チャンス目図柄）を仮停止表示させる場合の演出態様の具体例を説明する。
【０４０６】
　・・・
演出制御用マイクロコンピュータ１００は、変動パターンコマンドを受信したことにもとづいて、図４６（１）に示すように、左中右の演出図柄の変動表示を開始する。
【０４０７】
　・・・
【０４０８】
　
次いで、１回目の仮停止タイミングとなると、図４６（２）に示すように、１つ目の特殊表示結果（チャンス目図柄）を仮停止表示する（ステップＳ８１０７，Ｓ８１０８参照）。
【０４０９】
　なお、図４６（２）に示す例では、特殊表示結果（チャンス目図柄）に含まれるチャンス図柄（本例では、「山」の図柄）が最終仮停止図柄でないので、例えば、
擬似連設定処理（ステップＳ８００２参照）で「赤色表示」や「黄色表示」の表示態様に決定されている場合には（ステップＳ１５０６参照）、まず左の変動表示領域に通常の青色表示で図柄「３」が仮停止され、次に右の変動表示領域に通常の青色表示でチャンス図柄「山」が仮停止され、最後に中の変動表示領域に赤色表示や黄色表示で図柄「４」が仮停止される。
【０４１０】
　
次いで、１回目の再変動タイミングとなると、図４６（３）に示すように、通常の背景画面から山の風景の背景画面に切り替えられる（ステップＳ８１１２参照）とともに、１回目の再変動が開始される（ステップＳ８１１３，Ｓ８１１４，Ｓ８１０５参照）。
【０４１１】
　
次いで、２回目の仮停止タイミングとなると、図４６（４）に示すように、２つ目の特殊表示結果（チャンス目図柄）を仮停止表示する（ステップＳ８１０９，Ｓ８１１０参照）。
【０４１２】
　
次いで、２回目の再変動タイミングとなると、図４６（５）に示すように、１回目の再変動に対応した背景画面から２回目の再変動に対応した背景画面に切り替えられる（ステップＳ８１１２参照）とともに、２回目の再変動が開始される（ステップＳ８１１３，Ｓ８１１４，Ｓ８１０５参照）。
（１−ｍ）「【０４３２】
　なお、
この実施の形態では、１つ目の特殊表示結果（チャンス目図柄）を仮停止表示する場合にのみ、通常の表示態様とは異なる表示態様で残仮停止図柄を仮停止する場合を示したが、２つ目以降の特殊表示結果（チャンス目図柄）を仮停止表示する場合にも、通常の表示態様とは異なる表示態様で残仮停止図柄を仮停止するように構成してもよい。この場合、例えば、図３７に示す擬似連設定処理でステップＳ１５０９の処理を実行した後に、ステップＳ１５０６と同様の処理を行い、２つ目以降に仮停止表示する特殊表示結果（チャンス目図柄）についても、残仮停止図柄の表示態様を決定するようにすればよい。
（１−ｎ）図３９には、「残仮停止図柄表示態様決定用テーブル」に、残仮停止図柄の表示態様としてそれぞれの表示態様に対する割振数が図示されており、「赤色表示」は、再変動３回用に５０個、再変動２回用に１５個、再変動１回用に５個が割り振られており、「変化なし」は、再変動３回用に３０個、再変動２回用に５０個、再変動１回用に７０個が割り振られていることが図示されている。
（１−ｏ）上記（１−ｈ）の【０１８１】には、「ＣＰＵ５６は、第１始動入賞口１３に遊技球が入賞したことを検出するための第１始動口スイッチ１３ａがオンしていたら、すなわち第１始動入賞口１３への始動入賞が発生していたら、・・・始動口スイッチ通過処理を実行する（ステップＳ３１１，Ｓ３１２）。」と記載されており、同【０１９５】には、「次いで、ＣＰＵ５６は、乱数回路５０３やソフトウェア乱数を生成するためのカウンタから値を抽出し、それらを、第１保留記憶バッファ（図１７参照）における保存領域に格納する処理を実行する（ステップＳ２１５）。なお、ステップＳ２１５の処理では、ハードウェア乱数であるランダムＲ（大当り判定用乱数）・・・が抽出され、保存領域に格納される。」と記載されており、同【０２１３】には、「ＣＰＵ５６は、始動口スイッチ通過処理のステップＳ２１５，Ｓ２２１で抽出し第１保留記憶バッファ・・・にあらかじめ格納した大当り判定用乱数を読み出し、大当り判定を行う。」と記載され、同【０２１４】には、「ＣＰＵ５６は、大当り判定用乱数（ランダムＲ）の値が図８（Ａ）に示すいずれかの大当り判定値に一致すると、特別図柄に関して大当りとすることに決定する。大当りとすることに決定した場合には（ステップＳ６１）、ステップＳ７１に移行する。なお、大当りとするか否か決定するということは、大当り遊技状態に移行させるか否か決定するということである・・・」と記載されている。
　また、上記（１−ｂ）の【０００９】には、「遊技機は、・・・事前決定手段（例えば、遊技制御用マイクロコンピュータ５６０におけるステップＳ６１を実行する部分）と、・・・とを備え、・・・」と記載され、上記（１−ｄ）には、「遊技制御用マイクロコンピュータ５６０（具体的には、ＣＰＵ５６）」と記載されていることから、遊技機はＣＰＵ５６を備えることは明らかである。
　そうすると、上記（１−ｂ）、（１−ｄ）及び（１−ｈ）には、「
始動入賞が発生したら、始動口スイッチ通過処理を実行して、大当り判定用乱数を抽出し、第１保留記憶バッファにおける格納領域に格納し、第１保留記憶バッファに格納した大当り判定用乱数を読み出し、大当り判定を行い、大当り遊技状態に移行させるか否か決定するＣＰＵ５６
（１−ｐ）「上記（１−ｃ）の【００６８】には、「演出制御用ＣＰＵ１０１は、演出制御コマンドにもとづいて、ＶＤＰ（ビデオディスプレイプロセッサ）１０９に演出表示装置９の表示制御を行わせる。」と記載されている。
　また、上記（１−ｂ）の【０００９】には、「遊技機は、・・・識別情報の可変表示を実行する可変表示制御手段（例えば、演出制御用マイクロコンピュータ１００におけるステップＳ８００４〜Ｓ８００８，Ｓ８１０１〜Ｓ８１２５，Ｓ８７２を実行する部分）・・・とを備え、・・・」と記載され、上記（１−ｇ）の【０１７６】には、「演出制御基板８０に搭載されている演出制御用マイクロコンピュータ１００（具体的には、演出制御用ＣＰＵ１０１）」と記載されていることから、遊技機は演出制御用ＣＰＵ１０１を備えることは明らかである。
　そうすると、上記（１−ｃ）には、「
演出表示装置９の表示制御を行わせる演出制御用ＣＰＵ１０１
（１−ｑ）上記（１−ｂ）の【０００９】には、「事前決定手段（例えば、遊技制御用マイクロコンピュータ５６０・・・）と、事前決定手段の決定結果にもとづいて、・・・識別情報の可変表示を実行する可変表示制御手段（例えば、演出制御用マイクロコンピュータ１００・・・）とを備え・・・」と記載されていることから、（１−ｂ）には、演出制御用マイクロコンピュータ１００は、遊技制御用マイクロコンピュータ５６０の事前決定の決定結果にもとづいて、識別情報の可変表示を実行する点が記載されているといえる。
　また、上記（１−ｄ）の【００７７】には、「遊技制御用マイクロコンピュータ５６０（具体的には、ＣＰＵ５６）」と記載され、上記（１−ｇ）の【０１７６】には、「演出制御基板８０に搭載されている演出制御用マイクロコンピュータ１００（具体的には、演出制御用ＣＰＵ１０１）」と記載されていることから、上記（１−ｂ）、（１−ｄ）及び（１−ｇ）には、演出制御用ＣＰＵ１０１は、ＣＰＵ５６の事前決定の決定結果にもとづいて、識別情報の可変表示を実行する点が記載されているといえる。
　そして、上記（１−ｅ）の【０１１４】には、「擬似連」とは、識別情報の可変表示（演出図柄の変動表示）が開始されてから表示結果が導出表示されるまでに（１回の変動表示中に）、一旦非特定表示結果（はずれ図柄）となる特殊表示結果（チャンス目図柄）を仮停止表示させた後に変動表示を再度実行する再可変表示（再変動）を１回または複数回実行する演出である。」と記載され、上記（１−ｆ）の【０１６０】には、「この実施の形態では、擬似連が実行される場合に、再変動の回数が多くなるに従って、大当りに対する期待度（信頼度）が高くなる。」と記載されていることから、上記（１−ｅ）及び（１−ｆ）には、識別情報の可変表示が開始されてから表示結果が導出表示されるまでに、再変動を１回または複数回実行する演出であり、再変動の回数が多くなるに従って、大当りに対する期待度（信頼度）が高くなる擬似連を実行する点が記載されているといえる。
　さらに、演出制御用ＣＰＵ１０１は、ＣＰＵ５６の決定結果にもとづいて、識別情報の可変表示を実行するものであるから、識別情報の可変表示が開始されてから表示結果が導出表示されるまでに実行される擬似連も含めて実行するものであることは明らかである。
　そうすると、上記（１−ｂ）及び上記（１−ｄ）〜（１−ｇ）には、「
演出制御用ＣＰＵ１０１は、ＣＰＵ５６の事前決定の決定結果にもとづいて、識別情報の可変表示が開始されてから表示結果が導出表示されるまでに再変動を１回または複数回実行する演出であり、再変動の回数が多くなるに従って、大当りに対する期待度が高くなる擬似連を実行
（１−ｒ）上記（１−ｉ）の【０３２７】には、「演出制御用ＣＰＵ１０１は、変動表示中に行われる再変動回数に応じて、残仮停止図柄の表示態様を決定する（ステップＳ１５０６）。「残仮停止図柄」とは、特殊表示結果（チャンス目図柄）が仮停止表示される場合に、チャンス図柄が仮停止した後に仮停止される」と記載され、同【０３３０】には、「図３９に示すように、この実施の形態では、再変動回数が多くなるに従って、通常の表示態様とは異なる表示態様（赤色表示または黄色表示）で残仮停止図柄が仮停止される割合が高まる。既に説明したように、この実施の形態では、擬似連が実行される場合に再変動回数が多くなるに従って大当りに対する期待度（信頼度）が高まるので、通常の表示態様とは異なる表示態様（赤色表示または黄色表示）で残仮停止図柄が仮停止された場合には、通常の表示態様と同様の表示態様（青色表示）で残仮停止図柄が仮停止された場合と比較して、大当りに対する期待度（信頼度）が高い。また、赤色表示の表示態様で残仮停止図柄が仮停止された場合には、黄色表示の表示態様で残仮停止図柄が仮停止された場合と比較して、大当りに対する期待度（信頼度）がさらに高い。」と記載されていることから、上記（１−ｉ）には、演出制御用ＣＰＵ１０１は、擬似連が実行される場合に残仮停止図柄を赤色表示で仮停止表示する場合がある点が記載されているといえる。
　また、上記（１−ｌ）の段落【０４０８】〜【０４１４】には、演出態様の具体例として、「次いで、１回目の仮停止タイミングとなると、図４６（２）に示すように、１つ目の特殊表示結果（チャンス目図柄）を仮停止表示する（ステップＳ８１０７，Ｓ８１０８参照）。」（【０４０８】）、「擬似連設定処理（ステップＳ８００２参照）で「赤色表示」や「黄色表示」の表示態様に決定されている場合には（ステップＳ１５０６参照）、まず左の変動表示領域に通常の青色表示で図柄「３」が仮停止され、次に右の変動表示領域に通常の青色表示でチャンス図柄「山」が仮停止され、最後に中の変動表示領域に赤色表示や黄色表示で図柄「４」が仮停止される。」（【０４０９】）、「次いで、１回目の再変動タイミングとなると、図４６（３）に示すように、通常の背景画面から山の風景の背景画面に切り替えられる（ステップＳ８１１２参照）とともに、１回目の再変動が開始される（ステップＳ８１１３，Ｓ８１１４，Ｓ８１０５参照）。」（【０４１０】）と記載されている。ここで、段落【０４０９】における「赤色表示や黄色表示で図柄「４」が仮停止される」ことは、残仮停止図柄を赤色表示または黄色表示で仮停止表示されることを示していることは明らかであることから、上記（１−ｍ）には、残仮停止図柄を赤色表示で仮停止表示し、次いで１回目の再変動を開始する点が記載されているといえる。
　そして、上記の通り、演出制御用ＣＰＵ１０１は、識別情報の可変表示が開始されてから表示結果が導出表示されるまでに実行される擬似連も含めて実行するものであることは明らかである。
　そうすると、上記（１−ｉ）、（１−ｌ）には、演出制御用ＣＰＵ１０１は、「
擬似連が実行される場合に再変動回数が多くなるに従って残仮停止図柄を赤色表示で仮停止表示する場合があり、残仮停止図柄を赤色表示で仮停止表示し、次いで１回目の再変動を開始する
（１−ｓ）上記（１−ｉ）の【０３２７】には、「演出制御用ＣＰＵ１０１は、変動表示中に行われる再変動回数に応じて、残仮停止図柄の表示態様を決定する（ステップＳ１５０６）。「残仮停止図柄」とは、特殊表示結果（チャンス目図柄）が仮停止表示される場合に、チャンス図柄が仮停止した後に仮停止される」と記載されている。
　また、上記（１−ｎ）の通り、図３９には、残仮停止図柄の表示態様としてそれぞれの表示態様に対する割振数が図示されており、「赤色表示」は、再変動３回用に５０個、再変動２回用に１５個、再変動１回用に５個が割り振られていることから、残仮停止図柄の表示態様が「赤色表示」の場合には、「赤色表示」の場合の全７０個の割振数のうち６５個（約９３％）において再変動が２回以上であり、「赤色表示」の場合の全７０個の割振数のうち５０個（約７７％）において再変動が３回以上であるのに対し、「変化なし」は、再変動３回用に３０個、再変動２回用に５０個、再変動１回用に７０個が割り振られていることから、残仮停止図柄の表示態様が「変化なし」の場合には、「変化なし」の場合の全１５０個の割振数のうち８０個（約５３％）において再変動が２回以上であり、「変化なし」の場合の全１５０個の割振数のうち３０個（２０％）において再変動が３回以上である。そうすると、残仮停止図柄を通常の表示態様とは異なる赤色表示で仮停止する場合は、再変動回数が多くなる割合が高まることを示唆するものであるといえる。
　そして、上記（１−ｌ）の【０４０６】〜【０４１２】には、「演出制御用マイクロコンピュータ１００は、変動パターンコマンドを受信したことにもとづいて、図４６（１）に示すように、左中右の演出図柄の変動表示を開始する。」（【０４０６】）、「次いで、１回目の仮停止タイミングとなると、図４６（２）に示すように、１つ目の特殊表示結果（チャンス目図柄）を仮停止表示する（ステップＳ８１０７，Ｓ８１０８参照）。」（【０４０８】）、「擬似連設定処理（ステップＳ８００２参照）で「赤色表示」や「黄色表示」の表示態様に決定されている場合には（ステップＳ１５０６参照）、まず左の変動表示領域に通常の青色表示で図柄「３」が仮停止され、次に右の変動表示領域に通常の青色表示でチャンス図柄「山」が仮停止され、最後に中の変動表示領域に赤色表示や黄色表示で図柄「４」が仮停止される。」（【０４０９】）、「次いで、１回目の再変動タイミングとなると、図４６（３）に示すように、通常の背景画面から山の風景の背景画面に切り替えられる（ステップＳ８１１２参照）とともに、１回目の再変動が開始される（ステップＳ８１１３，Ｓ８１１４，Ｓ８１０５参照）。」（【０４１０】）と記載されている。
　ここで、【０４０９】における「チャンス図柄「山」が仮停止され、最後に」「赤色表示や黄色表示」で「仮停止される」「図柄「４」」とは、上記（１−ｉ）の【０３３０】に記載される「赤色表示または黄色表示で」「仮停止」表示される「残仮停止図柄」と、技術的に同じ事項を示していることは明らかであることから、残仮停止図柄を赤色表示で仮停止表示することは、変動表示を開始した後であり１回目の再変動タイミングの前になされるものであるといえる。
　さらに、上記（１−ｉ）の【０３２９】には、「この実施の形態では、残仮停止図柄の表示態様として、赤色表示、黄色表示または変化なしのいずれかが決定される。」と記載されている。
　そうすると、上記（１−ｉ）、（１−ｌ）及び（１−ｎ）には、演出制御用ＣＰＵ１０１は、「
擬似連における変動表示を開始した後であり１回目の再変動タイミングの前に再変動回数が多くなる割合が高まることを示唆する残仮停止図柄を赤色表示で仮停止表示して１回目の再変動を開始する場合と、残仮停止図柄を変化なしで仮停止表示して１回目の再変動を開始する場合とがある
（１−ｔ）上記（１−ｓ）の認定事項より、残仮停止図柄を赤色表示で仮停止表示することは、１回目の再変動タイミングの前になされるものであることは明らかである。
　また、上記（１−ｌ）の段落【０４０９】〜【０４１２】には、「擬似連設定処理（ステップＳ８００２参照）で「赤色表示」や「黄色表示」の表示態様に決定されている場合には（ステップＳ１５０６参照）、まず左の変動表示領域に通常の青色表示で図柄「３」が仮停止され、次に右の変動表示領域に通常の青色表示でチャンス図柄「山」が仮停止され、最後に中の変動表示領域に赤色表示や黄色表示で図柄「４」が仮停止される。」（【０４０９】）、「次いで、１回目の再変動タイミングとなると、・・・１回目の再変動が開始される（ステップＳ８１１３，Ｓ８１１４，Ｓ８１０５参照）。」（【０４１０】）、「次いで、２回目の仮停止タイミングとなると、・・・２つ目の特殊表示結果（チャンス目図柄）を仮停止表示する」（【０４１１】）、「次いで、２回目の再変動タイミングとなると、・・・２回目の再変動が開始される」（【０４１２】）と記載されている。
　そうすると、上記（１−ｌ）及び上記（１−ｓ）の認定事項より、（１−ｉ）、（１−ｌ）には、演出制御用ＣＰＵ１０１は、「
１回目の再変動タイミングの前に、残仮停止図柄を赤色表示で仮停止表示した場合は、１回目の再変動を開始した後にさらに２回目の再変動を開始する場合があ
（１−ｕ）上記（１−ｊ）の段落【０３４９】には、「演出制御用ＣＰＵ１０１は、ステップＳ１５０６の処理で決定した表示態様で特殊表示結果（チャンス目図柄）を仮停止表示する。」と記載されており、また、上記（１−ｍ）の段落【０４３２】には、「なお、この実施の形態では、１つ目の特殊表示結果（チャンス目図柄）を仮停止表示する場合にのみ、通常の表示態様とは異なる表示態様で残仮停止図柄を仮停止する場合を示したが、２つ目以降の特殊表示結果（チャンス目図柄）を仮停止表示する場合にも、通常の表示態様とは異なる表示態様で残仮停止図柄を仮停止するように構成してもよい。この場合、例えば、図３７に示す擬似連設定処理でステップＳ１５０９の処理を実行した後に、ステップＳ１５０６と同様の処理を行い、２つ目以降に仮停止表示する特殊表示結果（チャンス目図柄）についても、残仮停止図柄の表示態様を決定するようにすればよい。」と記載されている。
　そうすると、上記（１−ｊ）及び上記（１−ｔ）の認定事項より、（１−ｉ）、（１−ｊ）、及び（１−ｌ）には、演出制御用ＣＰＵ１０１は、「
擬似連における２回目の再変動が行われる前に、残仮停止図柄を赤色表示で仮停止表示し、残仮停止図柄を赤色表示で仮停止表示した後に２回目の再変動を開始するものであ
　したがって、上記（１−ａ）〜（１−ｎ）の記載事項及び（１−ｏ）〜（１−ｕ）の認定事項を総合すると、刊行物１には、次の発明（以下、「刊行物１発明」という。）が記載されていると認められる（記号ａ〜ｊは、本願補正発明の記号Ａ〜Ｊに対応させて付した。）。
「ａ　始動入賞が発生したら、始動口スイッチ通過処理を実行して、大当り判定用乱数を抽出し、第１保留記憶バッファにおける格納領域に格納し、第１保留記憶バッファに格納した大当り判定用乱数を読み出し、大当り判定を行い、大当り遊技状態に移行させるか否か決定するＣＰＵ５６と（１−ｏ）、
ｂ　演出表示装置９の表示制御を行わせる演出制御用ＣＰＵ１０１とを備え（１−ｐ）、
ｃ　演出制御用ＣＰＵ１０１は、ＣＰＵ５６の事前決定の決定結果にもとづいて、識別情報の可変表示が開始されてから表示結果が導出表示されるまでに一旦非特定表示結果を仮停止表示させた後に再変動を１回または複数回実行する演出であり、再変動の回数が多くなるに従って、大当りに対する期待度が高くなる擬似連を実行し（１−ｑ）、
ｄ　擬似連が実行される場合に再変動回数が多くなるに従って残仮停止図柄を赤色表示で仮停止表示する場合があり、残仮停止図柄を赤色表示で仮停止表示し、次いで１回目の再変動を開始し（１−ｒ）、
ｅ　擬似連における変動表示を開始した後であり１回目の再変動タイミングの前に再変動回数が多くなる割合が高まることを示唆する残仮停止図柄を赤色表示で仮停止表示して１回目の再変動を開始する場合と、残仮停止図柄を変化なしで仮停止表示して１回目の再変動を開始する場合とがあり（１−ｓ）、
ｆ　１回目の再変動タイミングの前に、残仮停止図柄を赤色表示で仮停止表示した場合は、１回目の再変動を開始した後にさらに２回目の再変動を開始する場合があり（１−ｔ）、
ｇ　擬似連における２回目の再変動が行われる前に、残仮停止図柄を赤色表示で仮停止表示し、残仮停止図柄を赤色表示で仮停止表示した後に２回目の再変動を開始するものであり（１−ｕ）、
ｈ、ｉ　擬似連を実行する場合に、例えば、山の風景の背景画面に切り替えられた場合、１回目の再変動では山の風景に朝日が昇るような態様の背景画面が表示され、２回目の再変動では山の風景における正午ごろの態様の背景画面に発展し、さらに３回目の再変動では山の風景における夜間の態様の背景画面に発展するものであり（【０３２４】、【０３２５】）、
ｊ’　山の風景に朝日が昇るような態様の背景画面、山の風景における正午ごろの態様の背景画面及び山の風景における夜間の態様の背景画面のうちの１つの態様で背景画面の表示を行うものである（【０３２５】、【０３６０】）、
遊技機。」
（３）刊行物２に記載された事項
　当審にて新たに引用した特開２０１３−１６２８４６号公報（以下、「刊行物２」という。）には、図面とともに以下の事項が記載されている（下線は審決で付した。以下同じ。）。
（２−ａ）「【発明が解決しようとする課題】
【０００４】
　しかしながら、特別遊技が行われるか否かの演出についてより興趣性を高めるという点においては改善の余地があった。
【０００５】
　それ故、本発明の目的は、興趣性を高めることが可能な遊技機を提供することである。」
（２−ｂ）「【０００８】
　また、上記目的を達成するため、本発明の他の遊技機は、・・・
前記再可変表示パターンに基づく複数回の可変表示に渡って、連続した予告演出を実行する予告演出実行手段（例えばステップＳ６１２の処理に基づきステップＳ１７２の処理を実行する演出制御用ＣＰＵ１２０など）と、
を備え、前記予告演出実行手段は、前記複数回の可変表示において、第１予告演出を実行するパターン（例えば擬似連予告パターンＹＰ１−１やＹＰ１−２など）と、当該第１予告演出よりも前記特定表示結果となる割合が高い第２予告演出を実行するパターン（例えば擬似連予告パターンＹＰ２−１など）と、前記第１予告演出を実行した後に前記第２予告演出を実行するパターン（例えば擬似連予告パターンＹＰ３−１など）と、のいずれかのパターンで前記予告演出を実行可能である
（２−ｃ）「【０４２５】
　また、特図ゲームの第１開始条件と第２開始条件のいずれか一方が１回成立したことに対応して、飾り図柄の可変表示が開始されてから可変表示結果となる確定飾り図柄が導出表示されるまでに、「左」、「中」、「右」の飾り図柄表示エリア５Ｌ、５Ｃ、５Ｒにおける全部にて飾り図柄を一旦仮停止表示させた後、全部の飾り図柄表示エリア５Ｌ、５Ｃ、５Ｒにて飾り図柄を再び変動（擬似連変動）させる
演出表示を、所定回（例えば最大３回まで）行う演出（「擬似連」の可変表示演出）を実行する遊技機に、上記実施の形態の概念を適用することができる。
【０４２６】
　即ち、上記実施の形態において、複数回の変動に渡って実行されていた連続予告演出（連続演出）を、１回の変動における所定回の擬似連変動に渡って実行するようにしてもよい。以下、この変形例では、先読み予告演出に関する処理を除いて、上記実施の形態と同様の処理が実行されるものとする。
【０４２７】
　図３７は、「擬似連」の可変表示演出を実行する遊技機に、上記実施の形態の概念を適用する場合における、「擬似連」の可変表示演出を伴う変動パターンの一例を示す図である。
この変形例では、図３７に示すように、擬似連変動が最大３回まで実行可能になっているとともに、擬似連変動が実行された後、非リーチハズレとなる変動パターンＰＡ３−１、リーチハズレとなる変動パターンＰＡ４−１〜ＰＡ４−４、大当りとなる変動パターンＰＢ３−１〜ＰＢ３−４が設けられている。なお、この変形例では、図１２のステップＳ１１１の処理において、擬似連の回数が多ければ多いほど、大当り信頼度が高くなるように変動パターンが決定されればよい。
【０４２８】
　図３８（Ａ）は、図２４のステップＳ５３０の処理内で実行される、擬似連予告決定処理の一例を示すフローチャートである。図３８（Ａ）に示す擬似連予告決定処理では、
演出制御用ＣＰＵ１２０は、まず、変動パターンが擬似連変動を２回または３回実行する変動パターンであるか否かを判定する
この変形例では、擬似連変動を２回または３回実行する変動パターンでは、その擬似連変動を利用して、上記実施の形態における連続予告演出（先読み予告演出）に相当する演出であって、最終的な可変表示結果を予告・示唆する演出（擬似連予告演出）を実行するようになっている。
（２−ｄ）「【０４３４】
　
擬似連予告パターンＹＰ２−１は、最終的な可変表示結果が導出表示されるより前の変動（再変動）中に、画像表示装置５における背景画像が通常の背景画像から特殊な背景画像に変化し、最終的な可変表示結果が導出表示されるまでその特殊な背景画像となる背景変化予告を実行することに対応した擬似連予告パターンである。
【０４３５】
　擬似連予告パターンＹＰ３−１は、チャンス目Ａが停止（仮停止）する停止図柄予告が実行された後に、背景変化予告に変化する擬似連予告演出を実行することに対応した擬似連予告パターンである。」
（２−ｅ）「【０４３９】
　
また、擬似連予告パターンＹＰ１−１や擬似連予告パターンＹＰ１−２といった停止図柄予告の擬似連予告演出が実行された場合よりも、背景変化予告の擬似連予告パターンＹＰ２−１の擬似連予告演出が実行された場合の方が、大当り信頼度が高くなっている。
（２−ｆ）「【０４４６】
　
擬似連予告パターンＹＰ３−１に決定された場合には（ステップＳ６１３；Ｙｅｓ）、背景変化予告を実行するタイミングを決定する（ステップＳ６１４）。この処理では、停止図柄予告の後に背景変化予告が実行される場合には、背景変化予告における背景画像の変化タイミングを変動（再変動）開始時、または、変動（再変動）終了時のいずれにするかを決定する。
（２−ｇ）「【０４６０】
　
図４１は、停止図柄予告の後に背景変化予告の擬似連予告演出が実行される場合の画像表示装置５における表示動作例を示す図である。
【０４６１】
　その後、図４１（Ｂ）に示すように、チャンス目ＣＡ１（「１・１・２」）が仮停止する。ここでは、通常の停止時と区別するため、各飾り図柄が揺れながら完全停止しない状態などで表示される。
その後、図４１（Ｃ）に示すように、１回目の擬似連変動が実行され、
画像表示装置５における背景画像が昼をモチーフとした画像（通常の背景画像）から夜をモチーフとした背景画像（特殊な背景画像）に変化する。
【０４６２】
　続いて、２回目の擬似連変動では、変動パターンに対応して、図２８（Ｆ）〜（Ｈ）に示すように、リーチとなって、大当り組合せを構成する飾り図柄が停止する。なお、この
３回目の変動においても、引き続き夜をモチーフとした背景画像となる。
【０４６３】
　以上のように、停止図柄予告の後に背景変化予告が実行される擬似連予告演出では、チャンス目Ａが停止する停止図柄予告が実行された後、
通常とは異なる特殊な背景画像に変化する背景変化予告が実行されることで、大当りとなる可能性を予告することができる。
（２−ｈ）「【０４７２】
　また、
図１９のステップ７１３や、図３８（Ａ）のステップＳ６１４では、背景変化予告における背景の変化タイミングとして、変動開始時または変動終了時のいずれかに決定されるようになっていたが、背景変化予告における背景の変化タイミングとしてこれら以外のタイミングを設けてもよい。例えば、変動途中などに背景が変化するようにしてもよい。
（２−ｉ）上記（２−ｂ）の【０００８】には、「前記再可変表示パターンに基づく複数回の可変表示に渡って、連続した予告演出を実行する予告演出実行手段（例えばステップＳ６１２の処理に基づきステップＳ１７２の処理を実行する演出制御用ＣＰＵ１２０など）と、・・・を備え、前記予告演出実行手段は、前記複数回の可変表示において、第１予告演出を実行するパターン（例えば擬似連予告パターンＹＰ１−１やＹＰ１−２など）と、当該第１予告演出よりも前記特定表示結果となる割合が高い第２予告演出を実行するパターン（例えば擬似連予告パターンＹＰ２−１など）と、前記第１予告演出を実行した後に前記第２予告演出を実行するパターン（例えば擬似連予告パターンＹＰ３−１など）と、のいずれかのパターンで前記予告演出を実行可能である」と記載されていることから、上記（２−ｂ）には、演出制御用ＣＰＵ１２０は、擬似連予告パターンで予告演出を実行可能である点が記載されているといえる。
　また、上記（２−ｃ）の【０４２５】には、「演出表示を、所定回（例えば最大３回まで）行う演出（「擬似連」の可変表示演出）を実行する遊技機に、上記実施の形態の概念を適用することができる。」と記載され、同【０４２７】には、「この変形例では、図３７に示すように、擬似連変動が最大３回まで実行可能になっているとともに、擬似連変動が実行された後、非リーチハズレとなる変動パターンＰＡ３−１、リーチハズレとなる変動パターンＰＡ４−１〜ＰＡ４−４、大当りとなる変動パターンＰＢ３−１〜ＰＢ３−４が設けられている。なお、この変形例では、図１２のステップＳ１１１の処理において、擬似連の回数が多ければ多いほど、大当り信頼度が高くなるように変動パターンが決定されればよい。」と記載されていることから、上記（２−ｃ）には、演出表示を所定回行う擬似連の可変表示演出であって、擬似連の回数が多ければ多いほど、大当り信頼度が高くなるように変動パターンが決定される点が記載されているといえる。
　そして、上記（２−ｃ）における擬似連変動は、擬似連変動が実行された後、変動パターンが設けられるものであるため、擬似連予告であることは明らかである。そうすると上記（２−ｂ）及び（２−ｃ）には、「
演出制御用ＣＰＵ１２０は、演出表示を所定回行う擬似連の可変表示演出であって、擬似連の回数が多ければ多いほど、大当り信頼度が高くなるように変動パターンが決定される擬似連予告パターンで予告演出を実行可能であ
（２−ｊ）上記（２−ｇ）の【０４６０】には、「図４１は、停止図柄予告の後に背景変化予告の擬似連予告演出が実行される場合の画像表示装置５における表示動作例を示す図である。」と記載されている。
　また、同【０４６１】には、「１回目の擬似連変動が実行され、図２８（Ｄ）、（Ｅ）に示すように、例えば「チャンス」という文字が画像表示装置５に表示され、画像表示装置５における背景画像が昼をモチーフとした画像（通常の背景画像）から夜をモチーフとした背景画像（特殊な背景画像）に変化する」と記載され、同【０４６２】には、「３回目の変動においても、引き続き夜をモチーフとした背景画像となる。」と記載されていることから、１回目の擬似連変動では通常の背景画像、２回目の擬似連変動では特殊な背景画像、３回目の擬似連変動では引き続き夜をモチーフとした背景画像が表示されることは明らかである。
　そして、上記（２−ｉ）にて認定したとおり、上記（２−ｂ）には、演出制御用ＣＰＵ１２０は、擬似連予告パターンで予告演出を実行可能である点が記載されているといえる。
　そうすると、上記（２−ｂ）及び（２−ｇ）には、演出制御用ＣＰＵ１２０は、「
背景変化予告の擬似連予告演出が実行される場合、１回目の擬似連変動では昼をモチーフとした通常の背景画像、２回目の擬似連変動では夜をモチーフとした特殊な背景画像、３回目の擬似連変動では引き続き夜をモチーフとした背景画像が表示
（２−ｋ）上記（２−ｄ）の【０４３４】には、「擬似連予告パターンＹＰ２−１は、最終的な可変表示結果が導出表示されるより前の変動（再変動）中に、画像表示装置５における背景画像が通常の背景画像から特殊な背景画像に変化し、最終的な可変表示結果が導出表示されるまでその特殊な背景画像となる背景変化予告を実行することに対応した擬似連予告パターンである。」と記載され、上記（２−ｅ）の【０４３９】には、「また、擬似連予告パターンＹＰ１−１や擬似連予告パターンＹＰ１−２といった停止図柄予告の擬似連予告演出が実行された場合よりも、背景変化予告の擬似連予告パターンＹＰ２−１の擬似連予告演出が実行された場合の方が、大当り信頼度が高くなっている。」と記載されていることから、背景画像として複数の画像のうち一つの背景画像を表示可能であることは明らかである。
　また、通常の背景画像から特殊な背景画像に変化する背景変化予告を実行することに対応した擬似連予告パターンＹＰ２−１の方が、擬似連予告パターンＹＰ１−１や擬似連予告パターンＹＰ１−２に比べて大当り信頼度が高くなっていることから、擬似連予告演出が行われる場合において、通常の背景画像のみが表示されるのに比べ、特殊な背景画像が表示される場合の方が、大当り信頼度が高いことは明らかである。そのため、擬似連予告演出において、通常の背景画像のみが表示される場合と、特殊な背景画像が表示される場合とでは大当り信頼度が異なるものであることも自明である。
　また、上記（２−ｉ）にて認定したとおり、上記（２−ｂ）には、演出制御用ＣＰＵ１２０は、擬似連予告パターンで予告演出を実行可能である点が記載されているといえる。
　そうすると、上記（２−ｂ）及び（２−ｄ）には、演出制御用ＣＰＵ１２０は、「
擬似連予告演出における再変動中に大当り信頼度の異なる複数の背景画像のうちの一つの背景画像を表示
（２−ｌ）上記（２−ｆ）の【０４４６】には「擬似連予告パターンＹＰ３−１に決定された場合には（ステップＳ６１３；Ｙｅｓ）、背景変化予告を実行するタイミングを決定する（ステップＳ６１４）。この処理では、停止図柄予告の後に背景変化予告が実行される場合には、背景変化予告における背景画像の変化タイミングを変動（再変動）開始時、または、変動（再変動）終了時のいずれにするかを決定する。」と記載され、上記（２−ｇ）の【０４６１】には、「その後、図４１（Ｃ）に示すように、１回目の擬似連変動が実行され、・・・画像表示装置５における背景画像が昼をモチーフとした画像（通常の背景画像）から夜をモチーフとした背景画像（特殊な背景画像）に変化する。」と記載され、同【０４６２】には、「通常とは異なる特殊な背景画像に変化する背景変化予告が実行されることで、大当りとなる可能性を予告することができる。」と記載されている。
　また、上記（２−ｉ）にて認定したとおり、上記（２−ｂ）には、演出制御用ＣＰＵ１２０は、擬似連予告パターンで予告演出を実行可能である点が記載されているといえる。
　そして、上記（２−ｈ）の段落【０４７２】には、「図１９のステップ７１３や、図３８（Ａ）のステップＳ６１４では、背景変化予告における背景の変化タイミングとして、変動開始時または変動終了時のいずれかに決定されるようになっていたが、背景変化予告における背景の変化タイミングとしてこれら以外のタイミングを設けてもよい。例えば、変動途中などに背景が変化するようにしてもよい。」と記載されていることから、上記（２−ｂ）及び（２−ｆ）〜（２−ｈ）には、演出制御用ＣＰＵ１２０は、「
擬似連予告演出の１回目の変動終了時または変動途中に、背景画像を通常の背景画像から大当りとなる可能性を予告する特殊な背景画像に変化する場合がある
（２−ｍ）上記（２−ａ）〜（２−ｈ）の記載事項及び（２−ｉ）〜（２−ｌ）の認定事項を総合すると、刊行物２には、次の事項が記載されている（以下「刊行物２記載の事項」という。）
　「演出制御用ＣＰＵ１２０は、演出表示を所定回行う擬似連の可変表示演出であって、擬似連の回数が多ければ多いほど、大当り信頼度が高くなるように変動パターンが決定される擬似連予告パターンで予告演出を実行可能であり（２−ｉ）、
　背景変化予告の擬似連予告演出が実行される場合、１回目の擬似連変動では通常の背景画像、２回目の擬似連変動では特殊な背景画像、３回目の擬似連変動では引き続き夜をモチーフとした背景画像を表示し（２−ｊ）、
　擬似連予告演出における再変動中に大当り信頼度の異なる複数の背景画像のうちの一つの背景画像を表示し（２−ｋ）、
　擬似連予告演出の１回目の変動終了時または変動途中に、背景画像を通常の背景画像から大当りとなる可能性を予告する特殊な背景画像に変化する場合がある（２−ｌ）、
　遊技機（【０００５】）。」
（４）対比
　本件補正発明と刊行物１発明とを対比する。対比の見出しとしての（ａ）〜（ｊ）は、刊行物１発明の分節構成と対応させた。
（ａ）刊行物１発明における「始動入賞」が「発生」したことは、本件補正発明における「始動条件」が「成立」したことに相当する。また、刊行物１発明における「大当り判定を行い、大当り遊技状態に移行させるか否か決定」することは、本件補正発明における「特別遊技状態とするか否かを決定する」ことに相当する。
　また、刊行物１発明において「始動入賞が発生したら、始動口スイッチ通過処理を実行して、大当り判定用乱数を抽出し、第１保留記憶バッファにおける格納領域に格納し、第１保留記憶バッファに格納した大当り判定用乱数を読み出し、大当り判定を行い、大当り遊技状態に移行させるか否か決定」するということは、始動入賞の発生に基づいて、大当り判定を行い、大当り遊技状態に移行させるか否か決定しているといえる。
　そうすると、刊行物１発明における「始動入賞が発生したら、始動口スイッチ通過処理を実行して、大当り判定用乱数を抽出し、第１保留記憶バッファにおける格納領域に格納し、第１保留記憶バッファに格納した大当り判定用乱数を読み出し、大当り判定を行い、大当り遊技状態に移行させるか否か決定するＣＰＵ５６」は、本件補正発明における「始動条件の成立に基づいて、特別遊技を行うか否かの判定を行う判定手段」に相当する。
（ｂ）刊行物１発明における「演出表示装置９の表示」は、本件補正発明における「演出」に相当する。
　そうすると、刊行物１発明における「演出表示装置９の表示制御を行わせる演出制御用ＣＰＵ１０１」は、本件補正発明における「演出を制御する演出制御手段」に相当する。
（ｃ）刊行物１発明における「ＣＰＵ５６」の「決定結果」は、本件補正発明における「判定手段」による「判定結果」に相当する。
　また、刊行物１発明は「識別情報の可変表示が開始されてから表示結果が導出表示されるまでに再変動を１回または複数回実行する演出」を行うものであるが、識別情報の可変表示が開始されてから表示結果が導出表示されるまでに再変動を１回実行するということは、少なくとも１回の変動の後に再変動を１回行っており、変動を２つの段階に分けて行うものであるといえることから、刊行物１発明における「識別情報の可変表示が開始されてから表示結果が導出表示されるまでに再変動を１回または複数回実行する演出」及び「擬似連」は、本件補正発明における「複数の段階にわたって行われる演出」及び「多段階演出」に相当する。
　そして、遊技機分野において、「大当りに対する期待度が高くなる」ことは、「大当り遊技が行われる期待度を高いことを示す」ことは明らかであることから、刊行物１発明における「再変動の回数が多くなるにしたがって、大当りに対する期待度が高くなる擬似連」は、本件補正発明における「段階数が多いほど特別遊技が行われる期待度が高いことを示す多段階演出」に相当する。
　さらに、「演出制御用ＣＰＵ１０１」は、「擬似連」を実行するものであるから、「擬似連」を実行可能であるといえる。
　そうすると、刊行物１発明における「演出制御用ＣＰＵ１０１は、ＣＰＵ５６による決定結果にもとづいて、再変動を１回または複数回実行する演出であり、再変動の回数が多くなるに従って、大当りに対する期待度が高くなる擬似連を実行し」は、本件補正発明における「前記演出制御手段は、判定手段による判定結果に基づいて、複数の段階にわたって行われる演出であって、段階数が多いほど特別遊技が行われる期待度が高いことを示す多段階演出を実行可能であり」に相当する。
（ｄ）上記（ｃ）にて検討したとおり、刊行物１発明における「擬似連」は、本件補正発明における「多段階演出」に相当することから、刊行物１発明における「擬似連」において実行される「１回目」の「再変動」は、本件補正発明における「所定段階目」の「演出」に相当し、刊行物１発明における「１回目の再変動タイミングの前」は、本件補正発明における「所定段階目の演出が開始される前」に相当する。
　また、刊行物１発明は「残仮停止図柄を赤色表示で仮停止表示し、次いで１回目の再変動を開始する」ものであるから、１回目の再変動を開始する前に残仮停止図柄を赤色表示で仮停止表示するものであるといえる。
　そして、刊行物１発明における「残仮停止図柄を赤色表示で仮停止表示」とすることは、特殊な態様の表示結果とすることによって再変動回数が多くなることを示唆するものであるから、１回目の再変動が行われることを示唆する演出の一種であるといえる。
　そうすると、刊行物１発明における演出制御用ＣＰＵ１０１は、「擬似連が実行される場合に再変動回数が多くなるに従って残仮停止図柄を赤色表示で仮停止表示する場合があり、残仮停止図柄を赤色表示で仮停止表示し、次いで１回目の再変動を開始する」のであるから、本件補正発明の「前記多段階演出において多段階目の演出が行われることを示唆する演出を、当該所定段階目の演出が開始される前に実行可能」とする構成を有していることは明らかである。
（ｅ）上記（ｃ）にて検討したとおり、刊行物１発明における「擬似連」は、本件補正発明における「多段階演出」に相当する。
　また、刊行物１発明は、「変動表示を開始した後であり１回目の再変動タイミングの前に再変動回数が多くなる割合が高まることを示唆する残仮停止図柄を赤色表示で仮停止表示して１回目の再変動を開始する」ものであるから、「１回目の再変動」は、１回の変動表示を行い仮停止表示した後に行われるものであるといえる。
　よって、刊行物１発明における「１回目の再変動」は、本件補正発明における「第Ｍ段階目の演出」に相当する。
　刊行物１発明における演出制御用ＣＰＵ１０１は、残仮停止図柄を赤色表示で仮停止表示することを、変動表示を開始した後「１回目の再変動タイミングの前」にするものであるが、一般的に、「際」とは、「とき。おり。」[株式会社岩波書店 広辞苑第六版]というタイミングを示すものであることから、刊行物１発明における「１回目の再変動タイミングの前」は、本件補正発明における「第Ｍ段階目の演出が行われる際」に相当する。
　また、刊行物１発明における「残仮停止図柄を赤色表示で仮停止表示」することは、「再変動回数が多くなる割合が高まることを示唆する」ものであるから、遊技者に対して再変動回数が多くなる割合が高まることを示唆する演出の一種であるといえる。よって、刊行物１発明における「残仮停止図柄を赤色表示で仮停止表示」することは、本件補正発明における「特定示唆演出を実行」することに相当する。
　そして、刊行物１発明において、「残仮停止図柄を赤色表示で仮停止表示」した場合は、「再変動回数が多くなる割合が高まることを示唆する」ものであるから、その後の１回目の再変動だけでなく、１回目より後の段階である２回目の再変動が行われることを示唆するものであることは明らかである。そうすると、刊行物１発明における「１回目の再変動タイミングの前に、再変動回数が多くなる割合が高まることを示唆する残仮停止図柄を赤色表示で仮停止表示」することは、本件補正発明における「第Ｍ段階目の演出が行われる際に、前記第Ｍ段階より後の段階である第Ｎ段階目の演出が行われることを示唆する特定示唆演出を実行」することと技術的に同一の事項を示すものといえる。
　さらに、刊行物１発明における「残仮停止図柄を変化なし」とすることは、残仮停止図柄を通常の表示態様とするものであるといえるから、本件補正発明における「特定示唆演出を実行せず」に相当し、刊行物１発明における「場合」及び「開始」は、それぞれ本件補正発明における「とき」及び「実行」と技術的に同一の事項を示すものであるといえる。
　そうすると、刊行物１発明における「擬似連における変動表示を開始した後であり１回目の再変動タイミングの前に、再変動回数が多くなる割合が高まることを示唆する残仮停止図柄を赤色表示で仮停止表示して１回目の再変動を実行する場合と、残仮停止図柄を変化なしとして１回目の再変動を実行する場合とがあり」は、本件補正発明における「前記多段階演出における第Ｍ段階目の演出が行われる際に、前記第Ｍ段階より後の段階である第Ｎ段階目の演出が行われることを示唆する特定示唆演出を実行して当該第Ｍ段階目の演出を実行するときと、前記特定示唆演出を実行せずに当該第Ｍ段階目の演出を実行するときとがあり」に相当する。
（ｆ）上記（ｃ）にて検討したとおり、刊行物１発明における「擬似連」は、本件補正発明における「多段階演出」に相当することから、刊行物１発明における「２回目の再変動」及び「残仮停止図柄を赤色表示で仮停止表示した場合」は、本件補正発明における「第Ｎ段階目の演出」及び「前記特定示唆演出を実行した場合」に相当する。また、刊行物１発明は、「１回目の再変動を開始した後にさらに２回目の再変動を開始する場合がある」ものであることから、「１回目の再変動を開始した後にさらに２回目の再変動を開始することが可能である」といえる。
　そうすると、刊行物１発明における「１回目の再変動タイミングの前に、残仮停止図柄を赤色表示で仮停止表示した場合は、１回目の再変動を開始した後にさらに２回目の再変動を開始する場合があり」は、本件補正発明における「前記第Ｍ段階目の演出が行われる際に前記特定示唆演出を実行した場合は、当該第Ｍ段階目の演出を実行した後にさらに前記第Ｎ段階目の演出を実行可能であり」に相当する。
（ｇ）刊行物１発明における「残仮停止図柄を赤色表示で仮停止表示」とすることは、本件補正発明における「前記特定示唆演出を実行」することに相当する。
　また、刊行物１発明は、「残仮停止図柄を赤色表示で仮停止表示させた後に２回目の再変動」を開始するものであることから、「残仮停止図柄を赤色表示で仮停止表示させた後に２回目の再変動」を実行可能であるといえる。
　そうすると、刊行物１発明における「擬似連における２回目の再変動が行われる前に、残仮停止図柄を赤色表示で仮停止表示し、残仮停止図柄を赤色表示で仮停止表示させた後に２回目の再変動を開始するものであり」は、本件補正発明における「前記多段階演出における前記第Ｎ段階目の演出が行われる際に、前記特定示唆演出を実行し、当該特定示唆演出を実行した後に第Ｎ段階目の演出を実行可能であり」に相当する。
（ｈ）刊行物１発明における「１回目の再変動」、「２回目の再変動」及び「３回目の再変動」は、併せて本件補正発明における「各段階の演出」に相当する。
　また、刊行物１発明における演出制御用ＣＰＵ１０１は「擬似連を実行する場合に、例えば、山の風景の背景画面に切り替えられた場合、１回目の再変動では山の風景に朝日が昇るような態様の背景画面が表示され、２回目の再変動では山の風景における正午ごろの態様の背景画面に発展し、さらに３回目の再変動では山の風景における夜間の態様の背景画面に発展する」ものであることから、刊行物１発明において、山の風景の背景画面に切り替えられた場合は、擬似連が実行されていることを示しているといえる。
　そして、刊行物１発明において、１回目〜３回目のそれぞれの再変動の間、山の風景の背景画面が表示されるものであることから、１回目〜３回目のそれぞれの再変動の間、山の風景の背景画面を表示可能であるといえる。
　そうすると、刊行物１発明における演出制御用ＣＰＵ１０１は、本件補正発明における「前記多段階演出における各段階の演出が行われている間、当該多段階演出が実行されていることを示す特定表示を行うこと」を「可能」とする構成を有しているといえる。
　
（ｉ）刊行物１発明は「１回目の再変動」では「山の風景に朝日が昇るような態様の背景画面」が表示され、「２回目の再変動」では「山の風景における正午ごろの態様の背景画面」に発展し、「３回目の再変動」では「山の風景における夜間の態様の背景画面」に発展するものであるから、擬似連における各回目の再変動において、異なる背景画面としているといえる。
　また、刊行物１発明において「背景画面」の「表示」を行うことは、背景画面の表示を行うことが可能であるといえる。
　そうすると、刊行物１発明における演出制御用ＣＰＵ１０１は、本件補正発明における「前記多段階演出における各段階の演出において異なる前記特定表示を行うこと」を「可能」とする構成を有していることは明らかである。
（ｊ）刊行物１発明における「複数の背景画面のうちの１つの態様で背景画面の表示を行う」ことは、本件補正発明における「複数の表示態様のうちの何れかの表示態様で前記特定表示を行う」ことに相当する。また、刊行物１発明において背景画面の表示を行うことは、背景画面の表示を行うことが可能であるといえる。
　よって、刊行物１発明と本件補正発明とは、「複数の表示態様のうちの何れかの表示態様で前記特定表示を行うことが可能であ」る点で共通する。
　以上（ａ）〜（ｊ）の検討より、本件補正発明と刊行物１発明とは、
「Ａ　始動条件の成立に基づいて、特別遊技を行うか否かの判定を行う判定手段と、
Ｂ　演出を制御する演出制御手段とを備え、
Ｃ　前記演出制御手段は、
　　前記判定手段による判定結果に基づいて、複数の段階にわたって行われる演出であって、段階数が多いほど特別遊技が行われる期待度が高いことを示す多段階演出を実行可能であり、
Ｄ　　前記多段階演出において所定段階目の演出が行われることを示唆する演出を、当該所定段階目の演出が開始される前に実行可能であり、
Ｅ　　前記多段階演出における第Ｍ段階目の演出が行われる際に、前記第Ｍ段階より後の段階である第Ｎ段階目の演出が行われることを示唆する特定示唆演出を実行して当該第Ｍ段階目の演出を実行するときと、前記特定示唆演出を実行せずに当該第Ｍ段階目の演出を実行するときとがあり、
Ｆ　　前記第Ｍ段階目の演出が行われる際に前記特定示唆演出を実行した場合は、当該第Ｍ段階目の演出を実行した後にさらに前記第Ｎ段階目の演出を実行可能であり、
Ｇ　　前記多段階演出における前記第Ｎ段階目の演出が行われる際に、前記特定示唆演出を実行し、当該特定示唆演出を実行した後に第Ｎ段階目の演出を実行可能であり、
Ｈ　　前記多段階演出における各段階の演出が行われている間、当該多段階演出が実行されていることを示す特定表示を行うことが可能であり、
Ｉ　　前記多段階演出における各段階の演出において異なる前記特定表示を行うことが可能であり、
Ｊ’ 　複数の表示態様のうちの何れかの表示態様で前記特定表示を行うことが可能である、
遊技機。」
の点で一致し、以下の点で相違する。
［相違点］特定表示に関して、本件補正発明では「演出制御手段は、特別遊技が行われる可能性が異なる複数の表示態様のうちの何れかの表示態様で行うことが可能であり、前記多段階演出における所定の段階の演出の実行中に、第１の表示態様から前記第１の表示態様よりも特別遊技が行われる可能性が高いことを示す第２の表示態様に変化させることが可能である」のに対し、刊行物１発明は、そのように特定されていない点。
（５）判断
ア　相違点について
（ア）刊行物２記載の事項は、上記「第２　３　（３）　（２−ｍ）」で検討したとおり、「演出制御用ＣＰＵ１２０は、演出表示を所定回行う擬似連の可変表示演出であって、擬似連の回数が多ければ多いほど、大当り信頼度が高くなるように変動パターンが決定される擬似連予告パターンで予告演出を実行可能であり、背景変化予告の擬似連予告演出が実行される場合、１回目の擬似連変動では通常の背景画像、２回目の擬似連変動では特殊な背景画像、３回目の擬似連変動では引き続き夜をモチーフとした背景画像を表示し、擬似連予告演出における再変動中に大当り信頼度の異なる複数の背景画像のうちの一つの背景画像を表示し、擬似連予告演出の１回目の変動終了時または変動途中に、背景画像を通常の背景画像から大当りとなる可能性を予告する特殊な背景画像に変化する場合がある」ものである。
（イ）刊行物２記載の事項において「大当り信頼度」が「異なる」ことは、大当り遊技が行われる可能性が異なることを意味するものである。
　そうすると、刊行物２記載の事項における「大当り信頼度の異なる複数の背景画像のうちの一つの背景画像を表示す」ることは、本件補正発明における「特別遊技が行われる可能性が異なる複数の表示態様のうちの何れかの表示態様で前記特定表示を行うことが可能であ」ることを意味するものである。
（ウ）刊行物２記載の事項における「擬似連予告演出」は、「演出表示を所定回行う」ものであり、その際には、演出表示を段階に分けて演出を実行するものであるといえることから、本件補正発明における「多段階演出」を意味するものである。
　また、刊行物２記載の事項における「１回目の変動時または変動途中」は、擬似連予告演出における１回目の段階の演出の実行中であるといえることから、本件補正発明における「所定段階の演出の実行中」を意味するものである。
　そして、刊行物２記載の事項における「通常の背景画像」及び「特殊な背景画像」は、本件補正発明における「第１の表示態様」及び「第２の表示態様」を意味するものである。
　そうすると、刊行物２記載の事項における「擬似連予告演出の１回目の変動終了時または変動途中に、背景画像を通常の背景画像から大当りとなる可能性を予告する特殊な背景画像に変化する場合がある」ことは、本件補正発明における「前記多段階演出における所定の段階の演出の実行中に、前記特定表示を第１の表示態様から前記第１の表示態様よりも特別遊技が行われる可能性が高いことを示す第２の表示態様に変化させることが可能である」ことを意味するものである。
（エ）したがって、刊行物２記載の事項の主な内容を、本件補正発明の用語を用いて表現すると、「演出制御手段は、特別遊技が行われる可能性が異なる複数の表示態様のうちの何れかの表示態様で前記特定表示を行うことが可能であり、前記多段階演出における所定の段階の演出の実行中に、前記特定表示を第１の表示態様から前記第１の表示態様よりも特別遊技が行われる可能性が高いことを示す第２の表示態様に変化させることが可能である」点が記載されているといえる。
　刊行物１発明と刊行物２記載の事項とは、いずれも仮停止と再変動の回数が多ければ多いほど大当り信頼度が高くなるようにされている擬似連演出を行うものであり、当該擬似連演出を行う際には、いずれも景色による背景表示を行った上で当該景色を昼から夜に変化させる等のストーリー性をもって擬似連演出を行う遊技機である点で共通する。
　また、刊行物１発明と刊行物２記載の事項とは、いずれも、擬似連演出において上記背景画像の変化を用いることにより、遊技者の興趣性を高めること目的としている点でも共通するものである。
　以上をふまえると、刊行物１発明における背景画像に関して、刊行物２記載の事項の「演出制御用ＣＰＵ１２０は、擬似連予告演出における再変動中に大当り信頼度の異なる複数の背景画像のうちの一つの背景画像を表示し、擬似連予告演出の１回目の変動終了時または変動途中に、背景画像を通常の背景画像から大当りとなる可能性を予告する特殊な背景画像に変化する場合がある」点を適用して、上記相違点に係る本件補正発明の構成とすることは、当業者が容易になし得たことである。
イ　本願補正発明が奏する効果について
　上記相違点によって本件補正発明が奏する効果は、当業者が刊行物１発明及び刊行物２記載の事項から予測し得る程度のものであって、格別のものではない。　
ウ　請求人の主張について
　請求人は、平成２９年２月１３日付け審判請求書において、本件補正発明と刊行物１発明とを比較して「相違点は何れの引用文献にも記載も示唆もされていないため、本願発明は各引用文献に基づいて容易に発明をすることができたものでは」ない旨、刊行物１発明における背景画面は「再変動の回数に応じて変化するものであるため」、刊行物１に「接した当業者は、例えば擬似２連目の実行中に、擬似２連目を示す背景画面をより期待度の高い態様に変更するように構成することは」ない旨、本件補正発明では、「多段階演出における所定の段階の演出の実行中に特定表示を第１の表示態様から当該第１の表示態様よりも大当たり期待度の高い第２の表示態様に変化させることが可能であるため、特定表示によって、多段階演出を実行中であること、および、多段階演出におけるどの段階の演出を実行中であるかを遊技者が分かり易くすることができるとともに、特定表示を第１の表示態様から第２の表示態様に変化させることによって、大当たりに対する遊技者の期待を高めることができ」る旨主張する。
　しかしながら、請求人が主張する上記相違点については、上記「第２　３　（５）」で検討したとおり、当審にて新たに引用した刊行物２に記載された事項であるし、当業者が刊行物１発明及び刊行物２記載の事項に基づいて容易になし得たことであるし、本件補正発明について請求人が主張する「特定表示によって、多段階演出を実行中であること、および、多段階演出におけるどの段階の演出を実行中であるかを遊技者が分かり易くすることができるとともに、特定表示を第１の表示態様から第２の表示態様に変化させることによって、大当たりに対する遊技者の期待を高めることができ」るとする効果は、当業者が刊行物１発明及び刊行物２記載の事項から予測し得る程度のものであって、格別ものではない。
エ　まとめ
　以上のように、本件補正発明は、当業者が刊行物１発明及び刊行物２記載の事項に基づいて容易に発明をすることができたものであるから、特許法第２９条第２項の規定により、特許出願の際独立して特許を受けることができない。
　　
（６）むすび
　したがって、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明について 
１　本願発明 
　本件補正は上記のとおり却下されたので、本願の請求項１に係る発明は、平成２８年２月１５日付け手続補正書により補正された特許請求の範囲の請求項１に記載されたとおりのものであるところ、その請求項１に係る発明（以下「本願発明」という。）は次のとおりである。
「【請求項１】
Ａ　始動条件の成立に基づいて、特別遊技を行うか否かの判定を行う判定手段と、
Ｂ　演出を制御する演出制御手段とを備え、
Ｃ　前記演出制御手段は、
　　前記判定手段による判定結果に基づいて、複数の段階にわたって行われる演出であって、段階数が多いほど特別遊技が行われる期待度が高いことを示す多段階演出を実行可能であり、
Ｄ　　前記多段階演出において所定段階目の演出が行われることを示唆する演出を、当該所定段階目の演出が開始される前に実行可能であり、
Ｇ’　　前記多段階演出における第Ｎ（Ｎは正の整数）段階目の演出が行われる際に、当該Ｎ段階目の演出が行われることを示唆する特定示唆演出を実行し、当該特定示唆演出を実行した後に第Ｎ段階目の演出を実行可能であり、
Ｅ’　　前記多段階演出における第Ｍ（ＭはＮより小さい整数）段階目の演出が行われる際に、前記特定示唆演出を実行して当該第Ｍ段階目の演出を実行するときと、前記特定示唆演出を実行せずに当該第Ｍ段階目の演出を実行するときとがあり、
Ｆ’　前記演出制御手段は、前記第Ｍ段階目の演出が行われる際に前記特定示唆演出を実行した場合は、当該第Ｍ段階目の演出を実行した後にさらに前記第Ｎ段階目の演出を実行可能である、遊技機。」
２　刊行物に記載された事項
　刊行物１の記載事項、認定事項及び刊行物１発明については、上記「第２　３　（２）」に示したとおりである。
３　対比、判断
　本願発明は、上記「第２　３　（１）」にて示した本件補正発明から、「多段階演出における第Ｍ段階目の演出が行われる際」の「特定示唆演出」について、「第Ｍ段階より後の段階である第Ｎ段階目の演出が行われることを示唆する」という限定を削除し、「第Ｍ」について「（ＭはＮより小さい整数）」、「第Ｎ」について「（Ｎは正の整数）」という説明を付加したものである。
　また、本願発明は、本件補正発明から、「演出制御手段」について、「前記多段階演出における各段階の演出が行われている間、当該多段階演出が実行されていることを示す特定表示を行うことが可能であり、前記多段階演出における各段階の演出において異なる前記特定表示を行うことが可能であり、特別遊技が行われる可能性が異なる複数の表示態様のうちの何れかの表示態様で前記特定表示を行うことが可能であり、前記多段階演出における所定の段階の演出の実行中に、前記特定表示を第１の表示態様から前記第１の表示態様よりも特別遊技が行われる可能性が高いことを示す第２の表示態様に変化させることが可能である」という限定を削除したものである。
　本願発明と刊行物１発明とを対比する（対比の見出しとしての（ａ）〜（ｇ’）は、上記「第２　３　（４）」における対比の見出しと対応させた上で検討を行った。なお、下記（ｇ’）については、本願発明では先に記載されているものであるため、記載順を先にしている）。
（ａ）〜（ｄ）については、上記「第２　３　（４）」において検討したとおりである。
（ｇ’）上記「第２　３　（４）　（ｃ）」にて検討したとおり、刊行物１発明における「擬似連」は、本願発明における「多段階演出」に相当することから、刊行物１発明における「２回目の再変動」は、本願発明の「第Ｎ（Ｎは整数）段階目の演出」に相当する。
　また、刊行物１発明における「残仮停止図柄を赤色表示で仮停止表示」することは、「再変動回数が多くなる割合が高まることを示唆する」ものであるから、遊技者に対して再変動回数が多くなる割合が高まることを示唆する演出の一種であるといえる。よって、刊行物１発明における「残仮停止図柄を赤色表示で仮停止表示」することは、本願発明における「特定示唆演出を実行」することに相当する。
　そして、刊行物１発明において「擬似連における２回目の再変動が行われる前に、残仮停止図柄を赤色表示で仮停止表示」させた場合は、再変動回数が多くなる割合が高まることを遊技者に示唆するものであるから、その後の２回目の再変動が行われることを示唆するものであるといえる。
　さらに、刊行物１発明は、「残仮停止図柄を赤色表示で仮停止表示させた後に２回目の再変動」を開始するものであることから、「残仮停止図柄を赤色表示で仮停止表示させた後に２回目の再変動」を実行可能であるといえる。
　そうすると、刊行物１発明における「擬似連における２回目の再変動が行われる前に、残仮停止図柄を赤色表示で仮停止表示し、残仮停止図柄を赤色表示で仮停止表示した後に２回目の再変動を開始するものであり」は、本願発明における「前記多段階演出における第Ｎ（Ｎは正の整数）段階目の演出が行われる際に、当該Ｎ段階目の演出が行われることを示唆する特定示唆演出を実行し、当該特定示唆演出を実行した後に第Ｎ段階目の演出を実行可能であり」に相当する。
（ｅ’）上記「第２　３　（４）　（ｃ）」にて検討したとおり、刊行物１発明における「擬似連」は、本願発明における「多段階演出」に相当する。
　また、刊行物１発明は、「変動表示を開始した後であり１回目の再変動タイミングの前に再変動回数が多くなる割合が高まることを示唆する残仮停止図柄を赤色表示で仮停止表示して１回目の再変動を開始する」ものであるから、「１回目の再変動」は、１回の変動表示を行い仮停止表示した後に行われるものであるといえる。
　よって、刊行物１発明における「１回目の再変動」は、本願発明における「第Ｍ（ＭはＮより小さい整数）段階目の演出」に相当する。
　刊行物１発明における演出制御用ＣＰＵ１０１は、残仮停止図柄を赤色表示で仮停止表示することを、変動表示を開始した後「１回目の再変動タイミングの前」にするものであるが、一般的に、「際」とは、「とき。おり。」[株式会社岩波書店 広辞苑第六版]というタイミングを示すものであることから、刊行物１発明における「１回目の再変動タイミングの前」は、本件補正発明における「第Ｍ（ＭはＮより小さい整数）段階目の演出が行われる際」に相当する。
　また、刊行物１発明における「残仮停止図柄を赤色表示で仮停止表示」することは、「再変動回数が多くなる割合が高まることを示唆する」ものであるから、遊技者に対して再変動回数が多くなる割合が高まることを示唆する演出の一種であることは明らかである。よって、刊行物１発明における「残仮停止図柄を赤色表示で仮停止表示」することは、本願発明における「特定示唆演出を実行」することに相当する。
　さらに、刊行物１発明における「残仮停止図柄を変化なし」とすることは、残仮停止図柄を通常の表示態様とするものであるといえるから、本願発明における「特定示唆演出を実行せず」に相当し、刊行物１発明における「場合」及び「開始」は、それぞれ本件補正発明における「とき」及び「実行」と技術的に同一の事項を示すものであるといえる。
　そうすると、刊行物１発明における「擬似連における変動表示を開始した後であり１回目の再変動タイミングの前に再変動回数が多くなる割合が高まることを示唆する残仮停止図柄を赤色表示で仮停止表示して１回目の再変動を実行する場合と、残仮停止図柄を変化なしとして１回目の再変動を実行する場合とがあり」は、本願発明における「前記多段階演出における第Ｍ（ＭはＮより小さい整数）段階目の演出が行われる際に、前記特定示唆演出を実行して当該第Ｍ段階目の演出を実行するときと、前記特定示唆演出を実行せずに当該第Ｍ段階目の演出を実行するときとがあり」に含まれる事項であることは明らかである。
（ｆ’）上記「第２　３　（４）　（ｃ）」にて検討したとおり、刊行物１発明における「擬似連」は、本願発明における「多段階演出」に相当することから、刊行物１発明における「２回目の再変動」及び「残仮停止図柄を赤色表示で仮停止表示した場合」は、本願発明における「第Ｎ段階目の演出」及び「前記特定示唆演出を実行した場合」に相当する。
　また、上記「第２　３　（２）　（１−ｔ）」にて認定したとおり、刊行物１発明における「１回目の再変動タイミングの前に、残仮停止図柄を赤色表示で仮停止表示した場合は、１回目の再変動を開始した後にさらに２回目の再変動を開始する場合があ」る点については、刊行物１発明における「演出制御用ＣＰＵ１０１」が実行するものである。
  そして、刊行物１発明は、「１回目の再変動を開始した後にさらに２回目の再変動を開始する場合がある」ものであることから、「１回目の再変動を開始した後にさらに２回目の再変動を開始することが可能である」といえる。
　そうすると、刊行物１発明における演出制御用ＣＰＵ１０１は、「１回目の再変動タイミングの前に、残仮停止図柄を赤色表示で仮停止表示とした場合は、１回目の再変動を開始した後にさらに２回目の再変動を開始するものであ」る点は、本願発明における前記演出制御手段は、「前記第Ｍ段階目の演出が行われる際に前記特定示唆演出を実行した場合は、当該第Ｍ段階目の演出を実行した後にさらに前記第Ｎ段階目の演出を実行可能であ」る点に相当する。
　よって、本願発明は、刊行物１に記載された発明であるか、または、当業者が刊行物１に記載された発明に基づいて容易に発明をすることができたものである。
４　むすび
　以上のとおりであるから、本願発明は、特許法第２９条第１項第３号または同条第２項の規定により特許を受けることができない。
　よって、本願は拒絶されるべきものである。
　したがって、結論のとおり審決する。